(57)【要約】【課題】剥離可能に熱融着ｃした気体遮断性などが優れた外蓋材３０を剥がすだけで、その効果を発揮することができる、しかも芳香剤容器１０が転倒するなどした時に、芳香剤などがこぼれる恐れがない、気体透過性などが優れた内蓋材２０を有する二重蓋構造の芳香剤容器を提供する。【解決手段】本発明は、気化してその効果を発揮する芳香剤や消臭剤や防虫剤などを収容する、芳香剤容器１０の上部開口の周辺フランジ部ａに、ポリエチレン系やポリプロピレン系などの不織布製の、気体透過性などが優れた内蓋材２０を、強固に熱融着ｂして、続いて基材フィルム層３とバリアーフィルム層４とイージーピール層５とを積層して成る積層フィルム製の、気体遮断性などが優れた外蓋材３０を、剥離可能に熱融着ｃした二重蓋構造の芳香剤容器である。【選択図】図１
2004306995.tif 000002
【特許請求の範囲】
【請求項１】
芳香剤や消臭剤や防虫剤など蒸発性の気化剤を収容する各種形状のプラスチック製の容器であって、該容器の上部開口の周辺フランジ部に、気体透過性内蓋材が熱融着され、該内蓋材面上に、基材フィルム層とバリアーフィルム層とイージーピール層とからなる積層フィルムによる気体遮断性外蓋材が剥離可能に熱融着されていることを特徴とする二重蓋構造容器。
【請求項２】
芳香剤や消臭剤や防虫剤など蒸発性の気化剤を収容する各種形状のプラスチック製の容器であって、該容器の上部開口の周辺フランジ部に、基材フィルム層とバリアーフィルム層とイージーピール層からなる積層フィルムによる気体遮断性外蓋材と気体透過性内蓋材とを剥離可能に積層した蓋材が熱融着されていることを特徴とする二重蓋構造容器。
【請求項３】
請求項２記載の二重蓋構造容器において、前記蓋材は、容器の上部開口の周辺フランジ部より突出するつまみ片を備えることを特徴とする二重蓋構造容器。
【請求項４】
請求項３記載の二重蓋構造容器において、前記蓋材のフランジ部に対する熱融着周辺部とつまみ片との間に、気体透過性内蓋材を切断する切れ目線ｆを設けたことを特徴とする二重蓋構造容器。
【発明の詳細な説明】
【０００１】
【発明の属する技術分野】
本発明は、気化してその効果を発揮する固形状や顆粒状やゼリー状などの芳香剤や消臭剤や防虫剤など蒸発性気化剤を収容する容器が転倒するなどした時に、気化剤がこぼれる恐れがない二重蓋構造容器に関する。
【０００２】
【従来の技術】
従来から、例えば図３に示すように、気化してその効果を発揮する固形状や顆粒状やゼリー状などの芳香剤や消臭剤や防虫剤など蒸発性気化剤を収容するガラス製やプラスチック製などのボトル状の容器１０の上部開口の周辺フランジ部ａに、インナーシールと通称する積層フィルム製などの気体遮断性を有する蓋材４０を剥離可能に熱融着するなどして貼着して、通常の金属製やプラスチック製などの気体遮断性に優れたキャップ５０を被せて密封した芳香剤容器が一般に広く用いられている。
【０００３】
また従来から、例えば図４に示すように、上記のような気化剤を収容するプラスチック製などのトレー状容器１０の上部開口の周辺フランジ部ａに、美麗な印刷をした積層フィルム製などの気体遮断性を有する蓋材４０を剥離可能に熱融着するなどして貼着して、通常の積層樹脂フィルム製などの気体遮断性が優れた袋体６０に入れて密封した芳香剤容器が一般に広く用いられている。
【０００４】
【発明が解決しようとする課題】
ところが、例えば図３、図４に示す芳香剤容器については、図３（Ａ）に示す気体遮断性が優れたキャップ５０を外して、また図４（Ａ）に示す気体遮断性が優れた袋体６０から出して、それぞれ剥離可能に貼着した気体遮断性を有する蓋材４０、４０を、図３（Ｂ）、図４（Ｂ）に示すように少しだけ剥がして、又は図３（Ｃ）、図４（Ｃ）に示すように完全に剥がして取除いて、それぞれ適宜の場所に載置するだけで、収容した芳香剤や消臭剤や防虫剤などが気化して、その効果を発揮することができるものの、それぞれの芳香剤容器が転倒するなどした時に、固形状や顆粒状やゼリー状の芳香剤がこぼれることが問題であって、家具や寝具や衣類などを汚したり幼児が手をだして誤飲したりする恐れがあった。
【０００５】
そこで、本発明の目的は、固形状や顆粒状やゼリー状などの気化してその効果を発揮する芳香剤や消臭剤や防虫剤など蒸発性気化剤を収容する剥離可能に熱融着ｃした気体遮断性が優れた外蓋材３０を、少しだけ剥がすだけで又は完全に剥がして取除くだけで、その効果を発揮することができ、しかも芳香剤容器１０が転倒するなどした時に、芳香剤などがこぼれる恐れがなく、家具や寝具や衣類などを汚したり幼児が手をだして誤飲したりすることがない気体透過性が優れた内蓋材２０を有する二重蓋構造容器を提供することにある。
【０００６】
【課題を解決するための手段】
本発明の請求項１に係る発明は、芳香剤や消臭剤や防虫剤など蒸発性の気化剤を収容する各種形状のプラスチック製の容器であって、該容器の上部開口の周辺フランジ部に、気体透過性内蓋材が熱融着され、該内蓋材面上に、基材フィルム層とバリアーフィルム層とイージーピール層とからなる積層フィルムによる気体遮断性外蓋材が剥離可能に熱融着されていることを特徴とする二重蓋構造容器である。
【０００７】
本発明の請求項２に係る発明は、芳香剤や消臭剤や防虫剤など蒸発性の気化剤を収容する各種形状の容器であって、該容器の上部開口の周辺フランジ部に、基材フィルム層とバリアーフィルム層とイージーピール層からなる積層フィルムによる気体遮断性外蓋材と気体透過性内蓋材とを剥離可能に積層した蓋材が熱融着されていることを特徴とする二重蓋構造容器である。
【０００８】
本発明の請求項３に係る発明は、上記請求項２に係る二重蓋構造容器において、前記蓋材は、容器の上部開口の周辺フランジ部より突出するつまみ片を備えることを特徴とする二重蓋構造容器である。
【０００９】
本発明の請求項４に係る発明は、上記請求項３に係る二重蓋構造容器において、前記蓋材のフランジ部に対する熱融着周辺部とつまみ片との間に、気体透過性内蓋材を切断する切れ目線ｆを設けたことを特徴とする二重蓋構造容器である。
【００１０】
本発明の二重蓋構造の芳香剤容器は、芳香剤や消臭剤や防虫剤など蒸発性の気化剤を収容するプラスチック製などの各種形状の容器１０であって、図１に示すように、ボトル状の容器１０の上部開口の周辺フランジ部ａに、ポリエチレン系やポリプロピレン系などの不織布製の気体透過性が優れた内蓋材２０を強固に熱融着ｂして、続いて基材フィルム層３とバリアーフィルム層４とイージーピール層５とを積層して成る積層フィルム製の気体遮断性が優れた外蓋材３０を、内蓋材２０に対して剥離可能に熱融着ｃしたものである。
【００１１】
本発明の二重蓋構造の芳香剤容器においては、図１（Ａ）、（Ｄ）に示すように、芳香剤容器１０の上部開口の周辺フランジ部ａに、ポリエチレン系やポリプロピレン系などの不織布製の、気体透過性などが優れた内蓋材２０を、強固に熱融着ｂして、続いて基材フィルム層３とバリアーフィルム層４とイージーピール層５とを積層して成る積層フィルム製の、気体遮断性などが優れた外蓋材３０を、剥離可能に熱融着ｃしたことによって、剥離可能に熱融着ｃした気体遮断性などが優れた外蓋材３０を、図１（Ｂ）に示すように少しだけ剥がして、又は図１（Ｃ）に示すように完全に剥がして取除いて、適宜の場所に載置するだけで、収容した芳香剤や消臭剤や防虫剤などが気化して、気体透過性などが優れた内蓋材２０を透過して、その効果を発揮することができる。
【００１２】
しかも、本発明の二重蓋構造の芳香剤容器においては、芳香剤容器１０の上部開口の周辺フランジ部ａに、ポリエチレン系やポリプロピレン系などの不織布製の内蓋材２０を強固に熱融着ｂしたことによって、載置した場所で芳香剤容器１０が転倒するなどした時に、強固に熱融着ｂした不織布製の内蓋材２０が、図１（Ｂ）、（Ｃ）に示すように芳香剤容器１０の上部開口を覆って、固形状や顆粒状やゼリー状の芳香剤など（  液状の芳香剤は不織布製の内蓋材２０を透過する  ）がこぼれる恐れがないために、家具や寝具や衣類などを汚したり幼児が手をだして誤飲したりすることがない気体透過性が優れた内蓋材２０を有する二重蓋構造の芳香剤容器を提供することができる。
【００１３】
また、本発明の二重蓋構造容器は、気化してその効果を発揮する芳香剤や消臭剤や防虫剤などを収容するプラスチック製などの各種形状の容器１０であって、図２に示すように、ポリエチレン系やポリプロピレン系などの不織布製の気体透過性が優れた内蓋材２０の表面側に、基材フィルム層３とバリアーフィルム層４とイージーピール層５とを積層して成る積層フィルム製の気体遮断性が優れた外蓋材３０を内蓋材２０に対して剥離可能に積層した蓋材を予め用意し、続いて、図２に示すように、気体遮断性外蓋材３０と気体透過性内蓋材２０からなる前記蓋材の内蓋材２０側の面を、トレー状の容器１０の上部開口の周辺フランジ部ａに強固に熱融着ｂしたものである。
【００１４】
本発明の二重蓋構造容器においては、図２（Ａ）、（Ｄ）に示すように、ポリエチレン系やポリプロピレン系の不織布製の気体透過性に優れた内蓋材２０の表面側に、基材フィルム層３とバリアーフィルム層４とイージーピール層５とを積層して成る積層フィルム製の気体遮断性が優れた外蓋材３０を、予め剥離可能に積層して、続いて芳香剤容器１０の上部開口の周辺フランジ部ａに、この表面側に外蓋材３０を予め剥離可能に積層した内蓋材２０を強固に熱融着ｂしたことによって、前述した図１に示す二重蓋構造の芳香剤容器と同様に、予め剥離可能に積層した気体遮断性が優れた外蓋材３０を、図２（Ｂ）に示すように少しだけ剥がすだけで、又は図２（Ｃ）に示すように完全に剥がして取除くだけで、収容した芳香剤や消臭剤や防虫剤などが気化して、気体透過性が優れた内蓋材２０を透過して、その効果を発揮することができ、しかも容器１０が転倒するなどした時に、強固に熱融着ｂした不織布製の内蓋材２０が、図２（Ｂ）、（Ｃ）に示すように容器１０の上部開口を覆って、芳香剤などの内容物がこぼれる恐れがなく、気体透過性に優れた内蓋材２０を有する二重蓋構造の容器を提供することができる。
【００１５】
しかも、本発明の二重蓋構造容器においては、ポリエチレン系やポリプロピレン系などの不織布製の内蓋材２０の表面側に、基材フィルム層３とバリアーフィルム層４とイージーピール層５とを積層して成る外蓋材３０を、予め剥離可能に積層したことによって、後述する実施例２に示すように、一回の熱融着工程で、容器１０の上部開口の周辺フランジ部ａに、この表面側に外蓋材３０を予め剥離可能に積層した内蓋材２０を強固に熱融着ｂすることができる上に、図２（Ｄ）に示す不織布製の内蓋材２０と外蓋材３０のイージーピール層５との間の２００〜３００ｇ／１５ｍｍ幅程度の剥離可能な接着力を、積層した後に熱融着して安定して得ることができる。
【００１６】
加えて、本発明の二重蓋構造容器は、前述した図２に示す二重蓋構造の容器において、図２（Ａ）、（Ｄ）に示すように、表面側に外蓋材３０を予め剥離可能に積層した内蓋材２０の強固に熱融着ｂする周辺部ｄとつまみ片ｅとの間に、内蓋材２０を切断する切れ目線ｆを設けたものである。
器である。
【００１７】
本発明の二重蓋構造容器においては、表面側に外蓋材３０を予め剥離可能に積層した内蓋材２０の強固に熱融着ｂする周辺部ｄとつまみ片ｅとの間に、内蓋材２０を切断する切れ目線ｆを設けたことによって、外蓋材３０と内蓋材２０とを積層して強固に熱融着ｂした蓋材の周辺部ｄのつまみ片ｅを指で摘んで引張るだけで、図２（Ｄ）に示すように、ワンタッチで内蓋材２０を切断する切れ目線ｆが切断して、このつまみ片ｅに内蓋材２０を残したまま、予め剥離可能に積層した気体遮断性が優れた外蓋材３０だけを剥がすことができ、外蓋材３０の剥離が容易な二重蓋構造の容器を得ることができる。
【００１８】
【発明の実施の形態】
本発明の二重蓋構造容器における気化してその効果を発揮する芳香剤や消臭剤や防虫剤など蒸発性の気化剤を収容する容器１０については、通常のポリエチレンやポリプロピレンなどのプラスチック製容器であってもよいし、ガラス製や金属製の容器であってもよく、図１に示すボトル状や図２に示すトレー状や図示していないカップ状などの平均肉厚が１．２〜１．８ｍｍ程度、また中間層にＥＶＯＨ層や各種蒸着層などを積層した平均肉厚が０．６〜１．０ｍｍ程度の保形強度と気体遮断性とが優れた容器１０を用いることができる。
【００１９】
また、本発明の二重蓋構造容器における気体透過性が優れた内蓋材２０については、最近のエルベス、アルシーマ（  いずれも商品名、ユニチカ（株）製  ）やエルタス（  商品名、旭化成（株）製  ）などようなポリエチレン系やポリプロピレン系などの熱融着性があって見掛け厚さが２０μｍ程度のスパンボンドタイプの不織布を用いて、引張り強度と気体透過性（液体も透過する）とが優れた固形状や顆粒状やゼリー状の気化剤が透過しない内蓋材２０を前述した容器１０の上部開口の周辺フランジ部ａに、熱融着する温度と圧力と時間とを適宜に調節して、５００ｇ／１５ｍｍ幅以上の強固に熱融着ｂして用いることができる。
【００２０】
さらに、本発明の二重蓋構造容器における気体遮断性が優れた外蓋材３０については、厚さが１３０ｇ／ｍ２程度の上質紙や１５〜２５μｍ程度のそれぞれ延伸したナイロン、ポリエステル、ポリプロピレンなどの強度が優れた基材フィルム層３と、厚さ７μｍ程度のアルミニウム箔や膜厚４０ｎｍ程度のアルミ蒸着、セラミック蒸着付の延伸ポリエステルなどの酸素や紫外線などに対する各種バリアー性が優れたバリアーフィルム層４と、厚さ３０〜５０μｍ程度のエチレン−メタアクリル酸共重合体（ＥＭＡＡ）やエチレン−酢酸ビニル共重合体（ＥＶＡ）などの熱融着した後に容易に剥がすことができるイージーピール層５とを、それぞれ図示していないウレタン系などの接着剤層を介して強固に積層して成るもので、図１（Ｄ）、図２（Ｄ）に示す積層フィルム製の強度と気体遮断性と熱融着性とが優れた外蓋材３０を、前述した容器１０の上部開口の周辺フランジ部ａに強固に熱融着ｂした内蓋材２０の表面側に、熱融着する温度と圧力と時間とを適宜に調節して、不織布製の内蓋材２０と外蓋材３０のイージーピール層５との間の接着力を、２００〜３００ｇ／１５ｍｍ幅程度の剥離可能に熱融着ｃして用いることができる。
【００２１】
【実施例】
以下に、本発明の具体的実施例について説明する。
【００２２】
＜実施例１＞
図１（Ａ）、（Ｂ）、（Ｃ）は、本発明の実施例１における、二重蓋構造の芳香剤容器の斜視図、断面図であって、図１（Ｄ）は、その要部の断面説明図である。
【００２３】
すなわち、表面に美麗な印刷をした厚さ２０μｍの延伸ポリエステルによる強度が優れた基材フィルム層３と、厚さ７μｍのアルミニウム箔の酸素や紫外線などに対する各種バリアー性に優れたバリアーフィルム層４と、図示していない強度補充のための厚さ２０μｍの延伸ポリエステルフィルムと、厚さ４５μｍのエチレン−メタアクリル酸共重合体（ＥＭＡＡ）による熱融着した後に容易に剥がすことができるイージーピール層５とを、それぞれ図示していないウレタン系の接着剤層を介して、通常のドライラミネーション方法で強固に積層した図１（Ｄ）に示す積層フィルム製の強度と気体遮断性とが優れた巻取り状の外蓋材３０を作製した。
【００２４】
次に、容積１２０ｍｌのゼリー状の気化剤（例えば芳香剤）を収容した通常のポリエチレン製の図１（Ａ）、（Ｂ）、（Ｃ）に示す平均肉厚が１．５ｍｍのボトル状の保形強度と気体遮断性とが優れた容器１０の上部開口の周辺フランジ部ａに、図１（Ｄ）に示すように、見掛け厚さが２０μｍのポリエチレン系の不織布（エルベス、ユニチカ（株）製）の引張り強度と気体透過性とが優れた巻取り状の内蓋材２０を、２５０℃、３ｋｇ／ｃｍ２  、１．２秒で、強固に熱融着ｂして、内蓋材２０の周辺を円形に切断して除去した後に、この容器１０の上部開口の周辺フランジ部ａに、強固に熱融着ｂした内蓋材２０の全表面（又は周辺端面）に、前述した強度と気体遮断性とが優れた巻取り状の外蓋材３０を、同様に２５０℃、３ｋｇ／ｃｍ２  、１．２秒で剥離可能に熱融着ｃして、外蓋材３０の周辺をつまみ片ｅを残して円形に切断除去し、実施例１の二重蓋構造容器を作製した。
【００２５】
本実施例の二重蓋構造容器においては、剥離可能に熱融着ｃした強度と気体遮断性とが優れた外蓋材３０を、外蓋材３０のつまみ片ｅを指で摘んで引張って、図１（Ｂ）、（Ｃ）に示すように剥がすだけで、収容したゼリー状の気化剤（例えば芳香剤）が気化して、引張り強度と気体透過性とが優れた内蓋材２０を透過して、その効果を発揮することができ、しかもボトル状の容器１０が転倒するなどした時に、強固に熱融着ｂした不織布製の内蓋材２０が、図１（Ｂ）、（Ｃ）に示すように容器１０の上部開口を覆っていて、ゼリー状の気化剤がこぼれる恐れがない二重蓋構造の容器を得ることができた。
【００２６】
＜実施例２＞
図２（Ａ）、（Ｂ）、（Ｃ）は、本発明の実施例２における二重蓋構造の容器の斜視図、断面図であって、図２（Ｄ）は、その要部の断面説明図である。
【００２７】
すなわち、表面に美麗な印刷をした厚さ２５μｍの延伸ポリプロピレンの強度が優れた基材フィルム層３と、膜厚４０ｎｍのセラミック蒸着付の厚さ２５μｍの延伸ポリプロピレンの酸素や紫外線などに対する各種バリアー性と強度とが優れたバリアーフィルム層４と、厚さ４５μｍのエチレン−酢酸ビニル共重合体（ＥＶＡ）による熱融着した後に容易に剥がすことができるイージーピール層５と、見掛け厚さが２０μｍのポリプロピレン系の不織布（エルタス、旭化成（株）製）の引張り強度と気体透過性とが優れた内蓋材２０とを、基材フィルム層３とバリアーフィルム層４とイージーピール層５との間は、それぞれ図示していないウレタン系の接着剤層を介して、通常のドライラミネーション方法で強固に積層して外蓋材３０として、またイージーピール層５と内蓋材２０との間は、図示していないオレフィン系の接着剤層を介して、通常のヒートプレス方法で剥離可能に積層して、引張り強度と気体透過性とが優れた内蓋材２０の全表面（又は周辺端面）に、強度と気体遮断性とが優れた外蓋材３０を予め剥離可能に積層した図２（Ｄ）に示す二重蓋構造の蓋材を作製した。
【００２８】
次に、１５０ｇの顆粒状の気化剤（例えば消臭剤）を収容した、通常のポリプロピレン製の内面にセラミック蒸着付の延伸ポリプロピレンを装着してインモールド成形した、図２（Ａ）、（Ｂ）、（Ｃ）に示す平均肉厚が０．８ｍｍのトレー状の保形強度と気体遮断性とが優れた容器１０の上部開口の周辺フランジ部ａに、図２（Ｄ）に示すように、前述した二重蓋構造の蓋材の周辺をつまみ片ｅを残して角を丸めて長方形状に切断して除去すると同時に、周辺部ｄとつまみ片ｅとの間に内蓋材２０を切断する切れ目線ｆを設け、内蓋材２０の表面側に外蓋材３０を予め剥離可能に積層した二重蓋構造の蓋材を、２５０℃、３ｋｇ／ｃｍ２  、１．２秒で強固に熱融着ｂして、実施例２の二重蓋構造の芳香剤容器を作製した。
【００２９】
本実施例の二重蓋構造容器においては、予め内蓋材２０と外蓋材とを剥離可能に積層し、その周辺部ｄを容器１０の上部開口の周辺フランジ部ａに熱融着した蓋材におけるつまみ片ｅを指で摘んで引張って、図２（Ｂ）、（Ｃ）に示すように、内蓋材２０から強度と気体遮断性とが優れた外蓋材３０を剥がすだけで、収容した顆粒状の気化剤が気化して、引張り強度と気体透過性とが優れた内蓋材２０を透過して、その効果を発揮することができ、しかもトレー状の容器１０が転倒するなどした時に、強固に熱融着ｂした不織布製の内蓋材２０が、図２（Ｂ）、（Ｃ）に示すように容器１０の上部開口を覆っていて、顆粒状の気化剤がこぼれる恐れがない二重蓋構造の芳香剤容器を得ることができた。
【００３０】
【発明の効果】
以上、実施例ほかに示すとおり、本発明の二重蓋構造容器においては、固形状や顆粒状やゼリー状などの気化してその効果を発揮する芳香剤や消臭剤や防虫剤など蒸発性の気化剤を収容する剥離可能に熱融着ｃした気体遮断性が優れた外蓋材３０を、少しだけ剥がすだけで又は完全に剥がして取除くだけで、その効果を発揮することができ、しかも容器が転倒するなどした時に、気化剤などの内容物が外にこぼれる恐れがないために、家具や寝具や衣類などを汚したり幼児が手をだして誤飲したりする心配がなく、気体透過性に優れた内蓋材を有する二重蓋構造の容器を提供することができる。
【図面の簡単な説明】
【図１】（Ａ）は本発明の実施例１における二重蓋構造容器の斜視図、（Ｂ）、（Ｃ）は断面図、（Ｄ）はその要部の断面説明図である。
【図２】（Ａ）は本発明の実施例２における二重蓋構造容器の斜視図、（Ｂ）、（Ｃ）は断面図、（Ｄ）はその要部の断面説明図である。
【図３】（Ａ）は従来の芳香剤容器の斜視図、（Ｂ）、（Ｃ）は断面図である。
【図４】（Ａ）は従来の芳香剤容器の斜視図、（Ｂ）、（Ｃ）は断面図である。
【符号の説明】
３…基材フィルム層
４…バリアーフィルム層
５…イージーピール層
１０…芳香剤容器
２０…内蓋材
３０…外蓋材
４０…蓋材
５０…キャップ
６０…袋体
ａ…周辺フランジ部
ｂ…強固に熱融着
ｃ…剥離可能に熱融着
ｄ…周辺部
ｅ…つまみ片
ｆ…切れ目線
【図１】
2004306995.tif 000003
【図２】
2004306995.tif 000004
【図３】
2004306995.tif 000005
【図４】
2004306995.tif 000006